(57)【要約】  パネルに取付けられた表示シートが時間の経過により弛みやしわなどが生じないで、展張状態を良好に維持することのできるテンションパネルにおける引張保持装置を提供する。表示シート５の各コーナ部でその二辺の縁に所要長さで沿わせて固着して、その二辺の縁の交差部に係止構造を有する保持具１０と、基端を枢着部とされて平面的に二重の二股形状部に形成されるとともに、その内側の二股形状部の中央部に上向きに突き出す係止鉤２５を備え、全体が一体形状に弾性材で形成される引張固定具２０とを備え、表示シート５を保持するフレーム３の各コーナ部に、前記引張固定具２０の枢着部を支持させて、その引張固定具２０の係止鉤２５に前記保持具１０の係止孔１３ｂを係合させることにより、引張固定具２０の弾性変位力で保持具１０を介して表示シート５に展張力を付与するようにする。
2007116966.tif 000002
【特許請求の範囲】
【請求項１】
表示シートの各コーナ部でその表示シートの二辺の縁に沿わせて配され、この表示シートを挟持する保持体と、
全体が一体的に弾性材で形成され、外側の二股形状部とそれに連設される内側の二股形状部とよりなる二重の二股形状に形成されるとともに、外側の二股形状部の中央部が枢着部とされ、内側の二股形状部の中央部が係止部とされる引張固定手段とを備え、
表示シートを保持するフレームの各コーナ部に前記引張固定手段の枢着部が支持されるとともに、前記引張固定手段の係止部に前記保持体が係止されることにより、前記引張固定手段の弾性変位力で前記保持体を介して表示シートに展張力を付与するように構成されていることを特徴とするテンションパネルにおける引張保持装置。
【請求項２】
前記外側の二股形状部が脚長の長いＬ字型形状部分とされ、前記内側の二股形状部が、外側の二股形状部よりも脚長の短いＬ字型形状部分とされている請求項１に記載のテンションパネルにおける引張保持装置。
【請求項３】
前記外側の二股形状部の脚長と、内側の二股形状部脚長の脚長との割合が、１００対９８〜７０とされる請求項２に記載のテンションパネルにおける引張保持装置。
【請求項４】
前記保持体と前記引張固定手段の係止部とは、いずれか一方に係止孔が、他方に前記係止孔と係合する係止突起または係止鉤が設けられて構成されている請求項１または２に記載のテンションパネルにおける引張保持装置。
【請求項５】
前記引張固定手段は、線材を屈曲形成して各端部同士を接合して形成される請求項１または２に記載のテンションパネルにおける引張保持装置。
【請求項６】
前記引張固定手段は、板材からエッチングまたはプレス型抜きにより作製される請求項１または２に記載のテンションパネルにおける引張保持装置。
【発明の詳細な説明】
【技術分野】
【０００１】
本発明は、ポスターや横断幕などの表示シートを展張して取付けるテンションパネルにおける引張保持装置に関するものである。
【背景技術】
【０００２】
ポスターなどの表示シートをパネルに取付けるには種々の方法があるが、ポスターを展張した状態で取付ける掲示具として、ポスターの四隅に弾性力を持った帯状の取付具の一端部を貼り付けて、その取付具の他端部を掲示用ボードや壁面に粘着剤を介して貼り付けるようにすることで、弛みを生じさせずに取付けるようにしたものが知られている（例えば、特許文献１，２参照）。また、ポスターなどの掲示物が湿気などで弛んだりするのを解消する目的で、そのポスターの伸縮に対応できる帯状伸縮部分を有して、掲示物（ポスター）の隅角に取付けて使用される掲示具が特許文献３によって知られている。【０００３】
また、本出願人は、先に、表示シートの各コーナ部に沿わせて保持具を固着してコーナ部の内角を二つに分ける直線に沿って緊張力を付与できるようにし、表示シートを支持するテンションパネルのフレームのコーナ部と前記保持具の先端との間に前記緊張力が加えられる引張固定手段を設けるようにして、表示シート全体を展張維持できるテンションパネルを創生し、実用に供している（特許文献４参照）。このほかに、クリップを使用して表示シートを展張する方法もある。【０００４】
しかしながら、上記従来の粘着剤を使用して表示シート（掲示物）を取付ける掲示具では、湿度や温度の変化によって粘着剤の粘着力が低下して剥がれ易くなり、表示シートに対する展張機能が劣るので、どうしても弛みが発生して見苦しくなる。また、クリップを使用した展張取付けの方法もあるが、この方法によっても展張機能が十分でなく、経時的な変化で弛みが生じてしまう。また、前記特許文献４による表示シートの展張取付手段によれば、成果は認められるが、展張構造をより改良することが望まれる。【０００５】
このようなことから、使用目的上掲示中における表示シートが環境の変化などによって弛みやしわが生じることなく、掲示期間中表示状態を損なわないで維持することのできる引張保持装置の提供が望まれている。【０００６】
【特許文献１】特開昭６１−８６２９８号公報
【特許文献２】実開昭５６−７５７７９号公報
【特許文献３】実開平５−５２３２９号公報
【特許文献４】特許第３１６１９１３号公報
【発明の開示】
【発明が解決しようとする課題】
【０００７】
本発明は、前述の問題点に鑑みてなされたものであって、パネルに取付けられた表示シートが時間の経過により弛みやしわなどを生じないで、展張状態を良好に維持することのできるテンションパネルにおける引張保持装置を提供することを目的とするものである。
【課題を解決するための手段】
【０００８】
前記目的を達成するために、本発明によるテンションパネルにおける引張保持装置は、
表示シートの各コーナ部でその表示シートの二辺の縁に沿わせて配され、この表示シートを挟持する保持体と、
全体が一体的に弾性材で形成され、外側の二股形状部とそれに連設される内側の二股形状部とよりなる二重の二股形状に形成されるとともに、外側の二股形状部の中央部が枢着部とされ、内側の二股形状部の中央部が係止部とされる引張固定手段とを備え、
表示シートを保持するフレームの各コーナ部に前記引張固定手段の枢着部が支持されるとともに、前記引張固定手段の係止部に前記保持体が係止されることにより、前記引張固定手段の弾性変位力で前記保持体を介して表示シートに展張力を付与するように構成されていることを特徴とするものである。【０００９】
本発明において、前記外側の二股形状部が脚長の長いＬ字型形状部分とされ、前記内側の二股形状部が、外側の二股形状部よりも脚長の短いＬ字型形状部分とされているのが好ましい。【００１０】
また、前記外側の二股形状部の脚長と、内側の二股形状部脚長の脚長との割合が、１００対９８〜７０とされるのが好ましい。【００１１】
また、前記保持体と前記引張固定手段の係止部とは、いずれか一方に係止孔が、他方に前記係止孔と係合する係止突起または係止鉤が設けられて構成されているのが良い。【００１２】
さらに、前記引張固定手段は、線材を屈曲形成して各端部同士を接合して形成されるものであっても、あるいは板材からエッチングまたはプレス型抜きにより作製されるものであっても良い。
【発明の効果】
【００１３】
本発明においては、弾性材よりなり、外側の二股形状部とそれに連設される内側の二股形状部とよりなる二重の二股形状に形成された引張固定手段をその基部で、表示シートを取付けるフレームに枢支し、この引張固定手段の内側の二股形状部の中央部に設けられた係止部に、予め表示シートのコーナ部における二辺の縁に沿って固着した保持体を係止することにより、前記引張固定手段における弾性変位力により、前記保持体を介して表示シートのコーナ部の内角を二分（４５度）する外方向へ張力を作用させることができ、これによって表示シートに展張力を発揮・維持することができる。【００１４】
また、本発明によれば、弾性材で二重の二股形状に形成した引張固定手段を用いて、この引張固定手段に表示シートのコーナ部を挟持する保持体を引き掛けて展張力を得るようにすることで、倍力機構の作用を利用して、ごく簡単な構成で、引張固定手段にて狭いスペースに表示シートを固定保持させてその表示シートの展張を行うことができ、かつ長期間の環境の変化にも対応させて展張維持することができる。
【図面の簡単な説明】
【００１５】
【図１】本発明の一実施形態に係る引張保持装置が採用されたテンションパネルの全体斜視図
【図２】要部を表わす拡大概要図
【図３】表示シートの保持具の一部を表わす斜視図（ａ）と保持具のクリップにおけるクリップ押えレバーの解除態様を表わす斜視図（ｂ）
【図４】引張固定手段としての引張固定具の斜視図（ａ）と平面図（ｂ）
【図５】本実施形態の引張保持装置の作動説明図
【図６】変形タイプの表示シートにおける作動説明図
【図７】引張固定具の他の実施形態を示す平面図
【符号の説明】
【００１６】
１    引張保持装置
２    テンションパネル
３    フレーム
５    表示シート
１０  保持具
１１  受け片
１１ｃ，１３ｃ  係止孔
１２  クリップ取付片
１３  押え片
１６  クリップ機構
２０，２０Ａ，２０Ｂ  引張固定具
２２，２２Ａ，２２Ｂ  内側のＬ字型形状部分
２３，２３Ａ，２３Ｂ  外側のＬ字型形状部分
２４，２４Ａ，２４Ｂ  基部
２５，２５Ａ，２５Ｂ  係止部
【発明を実施するための最良の形態】
【００１７】
次に、本発明によるテンションパネルにおける引張保持装置の具体的な実施の形態について、図面を参照しつつ説明する。【００１８】
図１には本発明の一実施形態に係る引張保持装置が採用されたテンションパネルの全体斜視図が示されている。図２には要部を表わす拡大概要図が、図３には表示シートの保持具の一部を表わす斜視図（ａ）と保持具のクリップにおけるクリップ押えレバーの解除態様を表わす斜視図（ｂ）が、図４には引張固定手段としての引張固定具の斜視図（ａ）と平面図（ｂ）が、それぞれ示されている。【００１９】
この実施形態で説明する表示シートの引張保持装置１は、ポスターや横断幕などの表示シート５を張り付けて掲示する所要寸法のテンションパネル２に用いられるものである。このテンションパネル２は、掲示する表示シート５の寸法に応じてその表示シートの外形寸法よりやや大きい形状にされた方形のフレーム３を有している。【００２０】
この引張保持装置１は、表示シート５の四隅にそれぞれ取付ける保持具１０（本発明における「保持体」に相当する。）と、テンションパネル２のフレーム３における各コーナ部４に取付ける引張固定具２０（本発明における「引張固定手段」に相当する）とで構成されている。【００２１】
前記保持具１０は、例えば図３に示されるように、表示シート５のコーナ部の二辺に沿って所要長さで上下から挟みつけるＬ字型に形成された受け片１１と押え片１３との組合せで、受け片１１には両側に延びる部位１１ａ，１１ａの各外縁の後半部を所要寸法上向きに屈曲起立させてクリップ取付片１２が形成され、この各クリップ取付片１２の内側壁面に沿わせてクリップ押えレバー１５が付され、押え片１３を上側から押し付けて表示シート５のコーナ部にこの保持具１０を取外し可能に固着するクリップ機構１６を一対備えている。そして、受け片１１と押え片１３との基部から外向きに突出部１１ｂ，１３ｂをともに設けて、その突出部１１ｂ，１３ｂに両者を貫通する係止孔１１ｃ、１３ｃが設けられた構成とされている。【００２２】
前記クリップ機構１６は、受け片１１と押え片１３とにクリップ押えレバー１５が組み付けられた構造とされており、そのクリップ押えレバー１５は、板材を断面溝形に屈曲形成して上面が平坦面に形成され、ちょうど押え片１３の幅寸法内に収まるように形成されている。そして、このクリップ押えレバー１５は、その基端部１５ａが前記クリップ取付片１２の基部寄り位置にてピン１７で枢着されている。このピン１７にはねじりばね１８のコイル巻部が被嵌され、このねじりばね１８の延長される一端部１８ａがクリップ押えレバー１５の内面に係止され、他端部１８ｂが押え片１３に設けられた係止切込み部１３ｄに係止され、このクリップ押えレバー１５の後端部寄り側面に設けた係止孔１９と、前記クリップ取付片１２の後端部に設けた係止突起１９′とを係合させることで、押え片１３に挟持力が付与されるように構成されている。なお、押え片１３の先端１３′は斜め上向きに屈曲されて受け片１１の端よりやや短い寸法にされている。こうすると、表示シート５のコーナ部に装着する操作が容易になる。また、押え片１３と受け片１１とは、その基部寄り位置の外縁でいずれか一方の縁部が他方の縁部を受けるように屈曲されて（この実施形態では押え片１３に屈曲部１３ｅが形成されている）、両者の浮き上がりが生じないようにされている。【００２３】
この保持具１０については、上述の構造のものに限定されるものではなく、表示シート５のコーナ部を上下二面から挟みつけて着脱可能に装着でき、内角を二分して直線的に張力を付勢できる機能が備わるものであればよい。なお、構造的には可能な限り嵩低くなる構成であることが望ましい。【００２４】
次に、前記引張固定具２０について説明する。この引張固定具２０は、図４（ａ）（ｂ）に示されるように、所要線径のばね鋼にてなる線材（弾性線材）２１を屈曲形成してなり、外側のＬ字型形状部分（以下、「外側部分」という。）２２と内側のＬ字型形状部分（以下、「内側部分」という。）２３とを、内側部分２３の中央部で一体に連結して全体として二股状に形成されている。ここで、外側部分２２の脚長Ｌと内側部分２３の脚長Ｌ′との比は、１００：９８〜７０とされ、外側部分２２および内側部分はそれぞれ左右線対称に形成されている。また、内側部分２３は、その二股に開脚する内角が９０°かそれよりもやや広い角度になるように形成されているのが好ましい。【００２５】
前記引張固定具２０は、その基部２４（外側部分２２の屈曲部）が円弧状のくびれ形状にされ、その内側に当該引張固定具２０をフレーム３に枢着するための締結具３０（ボルト）が挿通できるようにされている。また、内側部分２３の中央交点位置（ちょうど屈曲させた線材の両端部が交わる位置）では、線材２１の端部が外側部分２２および内側部分２３に対してほぼ直交する状態に起立されて、その先端部が前記基部２４の方向に曲げて係止鉤（係止部）２５が形成されている。なお、前記係止鉤２５を形成した部分は溶接（ロウ付けを含む）により一体化される。また、この係止鉤２５を形成した部分は、その高さ寸法が使用時に前記表示シート５の保持具１０における係止孔１３ｂ，１１ｂと係合するのに適した寸法にされている。【００２６】
次に、本実施形態の引張保持装置１による表示シート５の展張態様について説明する。この引張保持装置１は、使用される表示シート５に対応する寸法のテンションパネル２のフレーム３における四隅に予め引張固定具２０を取付けるネジ孔を設けておく。この各ネジ孔を使用して締結具３０によりコーナ部に引張固定具２０を、その基部２４が枢支されるように取付ける。こうすることで、フレーム３の表示シート取付面における四隅に引張固定具２０が基部２４で枢支装着される。【００２７】
一方、表示シート５の四隅には、前記保持具１０をそれぞれ装着する。この保持具１０を表示シート５のコーナに取付けるには、図３（ｂ）で示されるように、各クリップ機構１６のクリップ押えレバー１５を起立状態にして挟持を解放し、受け片１１と押え片１３との間に表示シート５のコーナ部を差し込む。この際、表示シート５の外縁が受け片１１に連接する両方のクリップ取付片１２の屈曲内面に当接するようにして差し込むことにより、表示シート５のコーナ部が正しく差し込まれることになる。その後において、各クリップ機構１６のクリップ押えレバー１５を押下げて係止孔１９と係止突起１９′とを係合させてクリップ押えレバー１５を固定することにより、ねじりばね１８による蓄勢反力で押え片１３と受け片１１とによって表示シート５が保持具１０に固定され、保持具１０が表示シート５のコーナ部に装着される。【００２８】
各コーナ部に保持具１０を装着した表示シート５をテンションパネル２に取付けるには、フレーム３の各コーナ部に付されている引張固定具２０の係止鉤２５に、保持具１０の基部に形成される突出部１１ｂ，１３ｂの係止孔１１ｃ、１３ｃを係合させる。こうすると、引張固定具２０は、前述のように、弾性線材にて平面的二重のＬ字型形状にされていて、Ｌ字型に形成された内側部分２３の両脚の中央交点位置に設けられた係止鉤２５に負荷が作用して、内側部分２３と連結するＬ字型の外側部分２２とがともに作動して二股形状の脚部が外向きに弾性変位されて開脚し、その弾性変位による反力で係止鉤２５と係合する保持具１０を介して表示シート５に展張力が加えられることになる。【００２９】
ここで、引張固定具２０の挙動を、図５に示す作動説明図により説明する。引張固定具２０は、前述のように、弾性体（弾性線材）で脚長の異なる二つのＬ字型にされた外側部分２２および内側部分２３を、平面的に組合わせて両端で一体に繋いで形成され、内側部分２３の中央交点位置（係止鉤２５）に、保持具１０の係止孔１３ｃ，１１ｃを掛け止めることにより表示シート５の緊張負荷が矢印ａ方向に作用する（引かれる）と、その作用力がこの内側部分２３の両脚部２３ａ，２３ａに二分して作用する。すると、その内側部分２３の両脚部２３ａ，２３ａの脚長Ｌ′に較べて脚長Ｌの長い外側部分２２の両脚部２２ａ，２２ａとが端部で連結されており、かつ内側部分２３の中央交点部（係止鉤２５）がフリーの状態であるのに対して外側部分２２が基部２４で締結具３０にて枢支された状態にあるので、不自由状態にある外側部分２３に対する自由状態の内側部分２３がトグル機構として機能し、内側部分２３の両脚部２３ａ，２３ａに作用する作用力で、外側部分２２の両脚部２２ａ，２２ａに基部２４を起点とする矢印ｂ、ｂ方向の回転モーメントが発生する。この結果、内外両部分２２，２３で形成される両脚部２３ａ，２２ａが図上点線Ｑで表されるように弾性変位して開脚する。【００３０】
こうして弾性体で形成される引張固定具２０は、その係止鉤２５に付加された保持具１０を介しての作用力で弾性変位することにより、その応力が保持具１０によって表示シート５に伝播され、表示シート５のコーナ部両縁を保持する保持具１０により、このコーナ部の内角を二分した方向に直線的に応力が作用して、展張力として機能するのである。なお、前記引張固定具２０は、左右対称に形成されているので、弾性変位により生じる表示シート５の展張力がコーナ部の内角を二分する方向に均等に分布され、表示シート５に対して初期の緊張作用力が設定後においても持続して機能する。したがって、環境の変化で表示シートに伸びが生じても、それを吸収して展張維持できる。【００３１】
この引張固定具２０における内側部分と外側部分との脚長の関係を確かめる実験を、次の三種類のものについて行った。その内容については図５を参照して表しており、各実験試料における張力の付加は、前述のように内側部分２３の係止鉤２５に対して同じ条件で付加した。その結果を表１によって示す。
実験試料
１）外側部分：  脚長１００ｍｍ，    内側部分：  脚長９１ｍｍ
２）外側部分：  脚長１００ｍｍ，    内側部分：  脚長９３ｍｍ
３）外側部分：  脚長１００ｍｍ，    内側部分：  脚長９７ｍｍ【００３２】
【表１】
2007116966.tif 000003
【００３３】
この実験結果から、いずれの場合において僅かな張力を付加しても、引張固定具２０を大きく弾性変位させて、その反力により逆に表示シート５に対する緊張力（展張力）が得られることが確認できた。なお、内側部分２３外側部分２２の脚長差を小さい状態にすれば弾性変位倍率が大きくできるが、その反面脚部の展開が大きくなるので、フレーム３に対する脚部端の保持幅が拡大され、使用上不利であることも判明した。したがって、実用上は実験試料１または２の範囲のものが好ましい。【００３４】
また、本実施形態の引張保持装置１によれば、テンションパネル２のフレーム３の縦横比と表示シート５の縦横比とが一致せず、表示シート５の端縁とフレーム３の端縁との距離と、表示シート５の側縁とフレーム３の側縁との距離とが異なる場合や、あるいは表示シート５の縦長さ寸法と横長さ寸法とが異なる場合であっても、図６に示されるように、前記引張固定具２０の基部を枢支位置Ｐに装着して、この枢支位置Ｐと、保持具１０の係止孔１３ｃ、１１ｃと引張固定具２０の係止鉤２５（図２参照）との係止位置ｃとを結ぶ直線ｆが、内角を二分する角度４５°以外の方向ｇへ移動しようとするとき（図中、点線Ｒで表わす）、引張固定具２０の係止位置ｃが係止位置ｃ′へ移動し、その引張固定具２０の両脚端部２２Ａ，２２Ｂがそれぞれ点線で示される両脚端部２２Ａ，２２Ｂの位置へ移動しようとする。しかし表示シート５による２〜４ｍｍの引張力が、両脚端部２２Ａ，２２Ｂで８〜２０倍の拡大率で引張固定具２０の両脚部を押し開かせるために、その一方の脚部がフレーム３の壁面３ａに当接し、その反力で引張固定具２０全体が枢支位置Ｐを基準とする回動力に変換される。その結果、引張固定具２０の係止鉤２５の係止位置ｃが変位していた係止位置ｃ′から本来の係止位置ｃに近づくように働く。そして、引張固定具２０は図上細線Ｅで表されるように前述と同様にして、脚部を拡開して緊張力を保持具１０を介して表示シート５に作用させる。【００３５】
このようにして引張固定具２０に対して表示シート５の伸縮に伴う作用力の方向がコーナ部の内角を二分する方向以外に作用する場合でも、その移動量が２〜３ｍｍ程度の距離であれば、脚部の拡がりが８〜２０倍と大きいので、引張固定具２０の係止位置を常に４５°近くにとどめることができる。こうして、環境の変化による表示シート５の芯ずれに対応させて、表示シート５に弛みやしわを起こさせない機能を発揮することができる。【００３６】
例えば５００ｍｍ×７００ｍｍのシート材（紙，樹脂フイルム、金属シート）の四隅にテンションを掛け、各０．５〜２．０ｋｇの張力でフレームに取付けたとき、通常の気候や室温での環境の変化の中では、フレーム側の引張固定具２０の枢支点と表示シートの保持具１０との係止位置（係止点）との伸縮は１〜２ｍｍ程度であり、そのときの引張固定具２０の脚部端の変位距離は１０〜２０ｍｍであるので、１０ｍｍ〜３０ｍｍ幅のフレームの中で吸収できる。そして、前記表示シートの係止位置（ｃ′）は、内角の１／２方向にほぼ近い位置ｃ″へ移動し、表示シートのコーナ部から両外縁の方向に展張力を掛け続けることができる。したがって、表示シートにしわやたるみを発生させず、常時平滑なシート面を得ることができるのである。【００３７】
前述の引張固定具に関してはばね鋼線材を曲げ加工して形成するものについて記載したが、この弾性材としては角型断面のばね材や板ばねを用いて形成することができる。また、バネ性の強いＳＵＳ３０１ＣＳＰ，ＳＵＳ３０４ＣＳＰ，ＳＵＳ３０４ＷＰＢ材の０．２〜１．５ｍｍ径の線材や、０．２〜１．５ｍｍ厚の板ばね材が好適である。なお、必要に応じてプラスチック材の弾性体が使われる。【００３８】
また、必要に応じて、本実施形態における保持具１０の係止孔１１ｃ，１３ｃと引張固定具２０の係止鉤２５とを逆に設け、保持具１０側に係止鉤を、引張固定具２０側に係止孔を設けるようにすることも可能である。【００３９】
前記実施形態では、引張固定具２０を、図４（ａ）（ｂ）に示されるように、ばね鋼にてなる線材２１を屈曲形成して両端部を起立させて接合した構成のものとしたが、図７（ａ）（ｂ）に示されるような実施形態も可能である。【００４０】
ここで、図７（ａ）に示される引張固定具２０Ａは、ステンレスばね線材２１Ａ（例えばφ１．５ｍｍ）を用い、内側のＬ字型形状部分２３Ａの中央部を略Ｍ字型に屈曲形成し、その中央の円弧状の屈曲部を係止部２５Ａとし、外側のＬ字型形状部分２２Ａの基部２４Ａを方形状のくびれ形状にしたものである。また、図７（ｂ）に示される引張固定具２０Ｂは、ステンレスばね板材２１Ｂ（例えば１．５ｍｍ厚）を用い、エッチングまたはプレス型抜きにより一体成形により作製された内側のＬ字型形状部分２３Ｂの中央部に、内方へ向けて突出される孔付きの係止部２５Ｂを設け、外側のＬ字型形状部分２２Ｂの基部２４Ｂを尖頭状の係止部としたものである。なお、このような一体成形タイプにする方がより強い張力が得られるという利点がある。また、これらの実施形態の場合には、係止部２５Ａ，２５Ｂに対応する保持具１０側に係止突起もしくは係止鉤が設けられることになる。
【産業上の利用可能性】
【００４１】
本発明のテンションパネルにおける引張保持装置は、ポスター、横断幕、光透過型フィルムを展張させてフレームに取付ける用途のほか、フレキシブルプリント基板の製造時にそれを展張させる用途などに使用して好適である。
【図１】
2007116966.tif 000004
【図２】
2007116966.tif 000005
【図３】
2007116966.tif 000006
【図４】
2007116966.tif 000007
【図５】
2007116966.tif 000008
【図６】
2007116966.tif 000009
【図７】
2007116966.tif 000010
【国際調査報告】
2007116966.tif 000011
2007116966.tif 000012